(57)【要約】【課題】複数の室外機からの熱を複数の熱利用機器に熱分配できるようにする。【解決手段】圧縮機１３ａ，１３ｂを備えて当該圧縮機１３ａ，１３ｂで圧縮された高温の冷媒を供給する第１、第２室外機１１，１２と、床暖房パネル５、空調機６、給湯器７等の循環水や利用水が流動してその熱を利用する複数の熱利用機器と、第１、第２室外機１１，１２からの冷媒が循環すると共に循環水や利用水が循環してこれらの間で熱交換する第１〜第３熱交換器２１〜２３を備え、かつ、第１、第２室外機１１，１２との接続方法が変えられると共に床暖房パネル５、空調機６、給湯器７との接続方法が変えられるように設けられた熱交換部とを設けて、各熱利用機器が要求する熱量が供給できるように接続方法を変更して熱分配を行う。【選択図】        図１
2004156806.tif 000002
【特許請求の範囲】
【請求項１】
圧縮機を備えて当該圧縮機で圧縮された高温の冷媒を供給する室外機と、
循環水が流動して当該循環水の熱を利用する複数の熱利用機器と、
前記室外機からの冷媒と、複数の前記熱利用機器からの循環水とを熱交換させ、その際に各熱利用機器が要求する熱量が、当該熱利用機器に供給されるように熱分配を行う熱交換分配器とを有することを特徴とする温冷熱システム。
【請求項２】
前記室外機が複数設けられ、かつ、前記熱交換分配器が、前記冷媒の流動する１の１次回路と前記循環水の流動する１の２次回路とからなる熱交換器を複数備えて、
複数の前記熱利用機器で要求される熱量に応じて各熱交換器の１次回路を複数の前記室外機に接続すると共に、当該各熱交換器の２次回路を複数の前記熱利用機器に接続したことを特徴とする請求項１記載の温冷熱システム。
【請求項３】
前記熱交換分配器が、前記冷媒の流動する１の１次回路と前記循環水の流動する２の２次回路とからなる熱交換器を備えて、前記室外機からの冷媒と、複数の前記熱利用機器からの循環水とを熱交換させることを特徴とする請求項１記載の温冷熱システム。
【請求項４】
前記室外機が、冷媒を蒸発させる蒸発器と、冷媒を凝縮させる凝縮器と、冷媒を膨張させる第１膨張弁と、冷媒の循環路を切換えるバイパスバルブとを備え、かつ、前記熱交換分配器における１の前記熱交換器の１次回路に第２膨張弁が接続して設けられて、複数の前記熱利用機器で冷熱と温熱が要求される場合には、前記圧縮機からの高温の冷媒を複数の熱交換器の１に供給し、該熱交換器に接続された前記熱利用機器を流動する循環水を加熱すると共に、当該熱交換器で熱交換した冷媒を前記第２膨張弁で減圧して当該第２膨張弁が接続された前記熱交換器で蒸発させることにより、該熱交換器の２次回路を循環する前記循環水を冷却して冷熱を与え、前記バイパスバルブを介して前記圧縮機に戻るようにしたことを特徴とする請求項１乃至３いずれか１項記載の温冷熱システム。
【請求項５】
前記熱交換分配器で、複数の前記熱利用機器がそれぞれ要求する熱量が供給できるように熱分配を行う際には、電磁弁により前記冷媒及び循環水の流路を切換える流路切換器を備えることを特徴とする請求項１乃至４いずれか１項記載の温冷熱システム。
【請求項６】
前記冷媒が、二酸化炭素冷媒であり、前記循環水が市水等の水又はブラインであることを特徴とする請求項１乃至５いずれか１項記載の温冷熱システム。
【発明の詳細な説明】
【０００１】
【発明の属する技術分野】
本発明は、複数の室外機からの冷媒と複数の熱利用機器に循環する循環水とを熱交換させ、かつ、各熱利用機器が要求する熱量を分配して供給できるようにした温冷熱システムに関する。
【０００２】
【従来の技術】
今日、暖房，給湯器，空調機の熱源として冷凍回路が利用されている。かかる冷凍回路は、冷媒を圧縮する圧縮機、冷媒を凝縮させる凝縮器、冷媒を膨張させる膨張弁、冷媒を熱交換させる蒸発器を有し、温熱を利用するときは凝縮器で冷媒が放熱する熱を利用し、冷熱を利用する際には蒸発器で冷媒が蒸発する際に吸収する熱を利用している。
【０００３】
温熱を利用する場合は、いわゆるヒートポンプと呼称され、冷凍効率が高いことからその利用が研究され、実用化されている。
【０００４】
このような温熱、冷熱を利用する熱利用機器として、床暖房パネル、空調機、給湯器等多数有り、床暖房パネルと空調機とを１台のヒートポンプに接続して同時運転できるようにしたマルチヒートポンプが提案されている（特許文献１参照）。
【０００５】
【特許文献１】
特開平６−８８６２８号公報
【０００６】
【発明が解決しようとする課題】
しかしながら、従来のマルチヒートポンプでは、熱利用機器に冷媒を直接供給する構成であるため、例えば給湯器と床暖房パネルとを同時に熱利用機器とすることができないと共に、複数の熱利用機器が接続される場合には、大きな能力の圧縮機等を用いなければならず、コストアップの要因になると共に、各熱利用機器は常に同時運転されるとは限らないので、時には過剰能力になってしまう問題があった。
【０００７】
そこで、本発明は、上記課題を解決した温冷熱システムを提供することを目的とする。
【０００８】
【課題を解決するための手段】
上記課題を解決するため、請求項１にかかる発明は、圧縮機を備えて当該圧縮機で圧縮された高温の冷媒を供給する室外機と、循環水が流動して当該循環水の熱を利用する複数の熱利用機器と、室外機からの冷媒と、複数の熱利用機器からの循環水とを熱交換させ、その際に各熱利用機器が要求する熱量が、当該熱利用機器に供給されるように熱分配を行う熱交換分配器とを有することを特徴とする。
【０００９】
請求項２にかかる発明は、室外機が複数設けられ、かつ、熱交換分配器が、冷媒の流動する１の１次回路と循環水の流動する１の２次回路とからなる熱交換器を複数備えて、複数の熱利用機器で要求される熱量に応じて各熱交換器の１次回路を複数の室外機に接続すると共に、当該各熱交換器の２次回路を複数の熱利用機器に接続したことを特徴とする。
【００１０】
請求項３にかかる発明は、熱交換分配器が、冷媒の流動する１の１次回路と循環水の流動する２の２次回路とからなる熱交換器を備えて、室外機からの冷媒と、複数の熱利用機器からの循環水とを熱交換させることを特徴とする。
【００１１】
請求項４にかかる発明は、室外機が、冷媒を蒸発させる蒸発器と、冷媒を凝縮させる凝縮器と、冷媒を膨張させる第１膨張弁と、冷媒の循環路を切換えるバイパスバルブとを備え、かつ、熱交換分配器における１の熱交換器の１次回路に第２膨張弁が接続して設けられて、複数の熱利用機器で冷熱と温熱が要求される場合には、圧縮機からの高温の冷媒を複数の熱交換器の１に供給し、該熱交換器に接続された熱利用機器を流動する循環水を加熱すると共に、当該熱交換器で熱交換した冷媒を第２膨張弁で減圧して当該第２膨張弁が接続された熱交換器で蒸発させることにより、該熱交換器の２次回路を循環する循環水を冷却して冷熱を与え、バイパスバルブを介して圧縮機に戻るようにしたことを特徴とする。
【００１２】
請求項５にかかる発明は、熱交換分配器で、複数の熱利用機器がそれぞれ要求する熱量が供給できるように熱分配を行う際には、電磁弁により冷媒及び循環水の流路を切換える流路切換器を備えることを特徴とする。
【００１３】
請求項６にかかる発明は、冷媒が、二酸化炭素冷媒であり、循環水が市水等の水又はブラインであることを特徴とする。
【００１４】
【発明の実施の形態】
本発明の実施の形態を図を参照して説明する。図１は本発明に係る温冷熱システム１の回路図である。
【００１５】
当該温冷熱システム１は、室外に配置される第１，第２室外機１１，１２からなる熱源部１０、第１〜第３熱交換器２１〜２３からなる熱交換部２０、床暖房パネル、空調機、給湯器等の熱利用部３０を主要構成としている。
【００１６】
熱利用部３０における熱利用機器としては、床暖房パネル、空調機、融雪パネルのような循環水が循環する循環型熱利用機器、給湯器や風呂のように循環水が消費される給水型熱利用機器がある。
【００１７】
また、これらの熱利用機器は、その要求温度により高温型熱利用機器と低温型熱利用機器に分類できる。この場合、高温型熱利用機器は要求温度が例えば６０℃〜９０℃の機器で床暖房パネルや給湯器が相当し、低温型熱利用機器は３０℃〜４５℃の機器で空調機や融雪パネルが相当する。
【００１８】
なお、熱源部１０における室外機の数、熱交換部２０における熱交換器の数、熱利用部３０における熱利用機器の種類や数は例示であって、本発明を限定するものではない。但し、室外機の数は２以上、熱交換器の数は３以上、熱利用機器の数は２以上が必要がある。
【００１９】
本実施の形態では、循環型熱利用機器として床暖房パネル５や空調機６を例に説明し、給水型熱利用機器として給湯器７を例に説明する。
【００２０】
そして、第１熱交換器２１の１次回路には第１室外機１１が接続され、第２熱交換器２２及び第３熱交換器２３の１次回路には第２室外機１２が接続されている。
【００２１】
また、第１熱交換器２１及び第２熱交換器２２の２次回路には、床暖房パネル５や空調機６等の循環型熱利用機器に循環水を供給するための循環水タンク３１が接続され、第３熱交換器２３の２次回路には給湯用の給水タンク３２が接続されている。
【００２２】
以上が概略構成であり、次に詳細な構成及び作用効果を説明する。
【００２３】
熱源部１０における第１，第２室外機１１，１２は、冷媒を圧縮して熱交換部２０に供給する圧縮機１３ａ，１３ｂ、熱交換部２０で熱交換した冷媒を膨張させる膨張弁１４ａ，１４ｂ、膨張した冷媒と送風機１５ａ，１５ｂで送風された外気と熱交換させることにより蒸発させる蒸発器１６ａ，１６ｂを主要構成としている。
【００２４】
なお、循環水としては市水等の水やブラインが利用可能であり、冷媒としては二酸化炭素冷媒やＨＦＣ冷媒等の種々の冷媒を用いることができる。
【００２５】
熱交換部２０は第１〜第３熱交換器２１〜２３は内部配管されてユニット化され、それぞれの１次回路には第１，第２室外機１１，１２からの冷媒が循環し、２次回路には給湯器７の利用水や床暖房パネル５の循環水が循環するようになっている。
【００２６】
なお、第１〜第３熱交換器２１〜２３における１次回路と２次回路とは、フィンを介して熱交換する構成でも良く、水、ブライン、油等の流体に浸されて、これを介して熱交換する構成でも良い。
【００２７】
上述したように、第１熱交換器２１の１次回路には第１室外機１１が接続され、第２熱交換器２２及び第３熱交換器２３の１次回路には第２室外機１２が接続され、第１熱交換器２１及び第２熱交換器２２の２次回路には循環水タンク３１が接続され、第３熱交換器２３の２次回路には給水タンク３２が接続されているが、このような接続構成にしたのは下記理由による。
【００２８】
即ち、床暖房パネル５、空調機６、給湯器７等の熱利用機器は、機種毎に必要とされる熱量が異なったり、使用時間帯が一致していなかったりする。
【００２９】
無論、一度に利用されることもあるので、熱源部１０側としてはこれに対応できるような熱供給能力を備えることが好ましい。
【００３０】
しかし、このような熱供給を１台の室外機で賄おうとすると、非常に大きな熱供給能力の室外機を用いる必要がありコストアップの要因になると共に、複数の熱利用機器のうち一部が運転停止しているような場合には過剰能力となって経済性が悪くなる。
【００３１】
そこで、本発明では、循環水タンク３１や給水タンク３２を設置して、一時的に急増する負荷量に対応できるようにしている。
【００３２】
また、本発明では、大きな熱供給能力の室外機を設けないで、同一仕様の小型室外機を複数設けて、循環水タンク３１側の循環型熱利用機器と給水タンク３２側の給水型熱利用機器とで必要とする熱量にアンバランスが生じた際には、一部の室外機（図１では第２室外機１２）の熱を循環水タンク３１側に分配できるようにしている。
【００３３】
無論、本発明は、第２室外機１２の熱の一部を循環水タンク３１側に供給できるようにする構成に限定されるものではなく、図２や図３に示すような構成であっても良い。
【００３４】
図２に示す構成は、例えば給水タンク３２側の熱利用機器として風呂の給湯を考えた場合に、風呂のお湯張りには大量の湯が短時間に消費されるので、このようなときは第１室外機１１からの熱の一部を給水タンク３２側に供給するようにした構成を示している。
【００３５】
また、図３に示す構成は、図１と図２との構成を併せ持つ構成で、第１室外機１１及び第２室外機１２からの熱を負荷の状況に応じて分配できるようにしたものである。
【００３６】
なお、図１〜図３に示す構成で、第１〜第３熱交換器２１〜２３の一次回路及び二次回路に接続されている弁は電磁弁等からなる熱分配器７１ａ，７１ｂで、循環水タンク３１や給水タンク３２の水温を検出し、これに基づき制御されるようになっている。
【００３７】
この熱分配器７１ａ，７１ｂは、上述したように電磁弁により形成されているため、開弁、閉弁の何れかの態様をとる。しかし、現実にはより細かに熱量分配を行いたい場合もあるので、このような場合に対応するためには流量調整弁を用いることが好ましい。
【００３８】
以下、図１に示す構成を例に説明する。循環型熱利用部３１は、床暖房パネル５、給湯器７、循環水タンク３１、給水タンク３２、３方弁３３、高温側ポンプ３４、低温側ポンプ３５、膨張缶３６、給湯側ポンプ３７等を主要構成としている。
【００３９】
循環水タンク３１は、１次流入管４１、２次流出管４２、１次流出管４３、２次流入管４４、空気抜弁４５、安全弁４６、タンクドレン４７等を有して、外気に対して断熱されて循環水等が成層をなして貯留できるようになっている。なお、成層とはタンク内で対流が殆どなく、貯留されている循環水の温度勾配が例えばタンクの上部から下部に向って滑らかに変化している状態を言う。
【００４０】
１次流入管４１及び２次流出管４２は、循環水タンク３１の上部側に設けられ、１次流出管４３及び２次流入管４４は循環水タンク３１の下部側に設けられている。
【００４１】
空気抜弁４５や安全弁４６は、２次流出管４２に接続して設けられ、１次流出管４３や２次流入管４４にはタンクドレン４７が設けられている。
【００４２】
空気抜弁４５は、かかるシステムを初めて使用するときやメンテナンス後の使用再開時のように、循環水タンク３１に循環水を貯留し始めた際に当該循環水タンク３１や配管内の空気が逃るための逃道をなす弁である。
【００４３】
安全弁４６は、何らかの原因により循環水タンク３１や該循環水タンク３１に連通する配管の圧力が異常圧になって機器等の破損が生じないように、予め設定された圧力に達すると開弁して、この圧力以上にならないようにするためのものである。
【００４４】
タンクドレン４７は、メンテナンス時等において循環水タンク３１や配管内の水を抜くためのものである。
【００４５】
そして、熱交換部２０で熱交換して温度上昇した循環水は、１次流入管４１から循環水タンク３１の上部に流入して、当該循環水タンク３１に貯留される。
【００４６】
循環水タンク３１に貯留された循環水は、図１に示す実線矢印に示す流路（以下、流路Ａと記載する）に従い、２次流出管４２から流出して、３方弁３３、高温側ポンプ３４を介して床暖房パネル５に供給され、２次流入管４４から循環水タンク３１の下部に戻る。
【００４７】
なお、床暖房パネル５と２次流入管４４とを接続する配管と３方弁３３とはバイパス管４８により接続されている。このバイパス管４８及び３方弁３３により点線矢印に示す流路（以下、流路Ｂと記載する）が形成される。
【００４８】
３方弁３３は、循環水タンク３１から流路Ａを介して床暖房パネル５に供給される循環水と、バイパス管４８から流路Ｂを介して床暖房パネル５に供給される循環水とを混合しすると共に、その混合比率を設定するためのもので、温度検出器４９からの信号により床暖房パネル５に供給される循環水の温度が機器設定された設定温度になるようになるように、循環水タンク３１からの循環水量とバイパス管４８からの循環水量を調整する。
【００４９】
即ち、高温側ポンプ３４が駆動されると、当該高温側ポンプ３４の送水量に応じた水量が床暖房パネル５に供給される。
【００５０】
このとき、３方弁３３により循環水タンク３１からの循環水量が調整されるため、不足する分はバイパス管４８を介して床暖房パネル５から戻ってきた循環水が供給されるようになる。
【００５１】
これにより３方弁３３では、循環水タンク３１からの高温の循環水がバイパス管４８からの低温の循環水と混合され、これにより温度調整されて床暖房パネル５に供給されることになる。
【００５２】
なお、床暖房パネル５から戻ってきた循環水の一部は上述したようにバイパス管４８を介して流路Ａを循環するが、残りは２次流入管４４を介して循環水タンク３１に戻る。
【００５３】
このようにして戻った循環水は、低温側ポンプ３５により１次流出管４３を介して空調機６に供給されて熱交換部２０に戻る。
【００５４】
ところで、循環水タンク３１に貯留される循環水は、１００℃を越えないように設計されているが、低温側ポンプ３５や高温側ポンプ３４によりこの循環水が圧送されるために、循環水の圧力は大気圧を下回る場合があり、かかる場合には９０℃でも沸騰したりすることが危惧される。
【００５５】
また、沸騰しないまでも循環水が温度上昇すると微少ながらも体積変化するが、この循環水が流動する配管は密閉配管であるため、その体積変動を吸収することができない。
【００５６】
このような場合に、直ちに安全弁４６を開弁して大気圧にしたり体積変化を吸収したりできるように動作圧を低くすると、安全弁４６としての機能が失われてしまうと共に、安全弁４６を開弁してしまうと定常状態に達した際には配管内等が負圧になってしまう問題がある。
【００５７】
そこで、本発明では、膨張缶３６を設けて多少の沸騰や体積変動が吸収出きるようにしている。
【００５８】
これまでの説明においては、床暖房パネル５は１台として説明したが、複数台であっても良い。即ち、複数の部屋に床暖房パネル５を設けて、１台の循環水タンク３１からの循環水を供給すことは可能である。
【００５９】
但し、この場合には先に説明したように高温側ポンプ３４を介して供給される循環水の温度は設定温度（一定温度）であるため、それぞれの床暖房パネル５毎に温度調整を行うことができない。
【００６０】
床暖房パネル５毎に温度調整を行うようにするためには、図１に示すように各床暖房パネル５に熱動弁５３を設けて、各床暖房パネル５のコントローラに設定された温度になるように、その床暖房パネル５に流入する循環水量を調整すればよい。
【００６１】
１次流出管４３から熱交換部２０に戻る循環水は、空調機６を通るが、当該空調機６は、空調用熱交換器５０、送風機５１、ダクト５２等を有し、送風機５１を運転することにより外気が空調用熱交換器５０を介してダクト５２内に取込まれ、当該ダクト５２を介して各部屋に送風される。
【００６２】
そして、空調用熱交換器５０に１次流出管４３からの循環水が供給されることにより、外気が加熱されて温風となって各部屋を暖房する。
【００６３】
このような空調機６で必要とする循環水の温度は、送風量等によっても異なるが、２次流入管４４を介して循環水タンク３１に戻ってきた循環水の温度より低い場合が多い。
【００６４】
先に述べたように循環水タンク３１は成層をなすので、２次流入管４４と１次流出管４３との開口位置が同じ高さであると、２次流入管４４から循環水タンク３１内に流入した循環水がそのまま１次流出管４３を介して空調機６に供給されてしまい、空調機６が必要とする温度より高い温度の循環水が供給されるようになる。
【００６５】
そこで、本発明では、２次流入管４４の開口位置を１次流出管４３の開口位置より高い位置に設定して、少なくとも２次流入管４４から戻ってきた循環水より温度の低い循環水が空調機６に供給されるようにしている。
【００６６】
給水型熱利用機器の例である給湯器７は、給水タンク３２、給水ポンプ等を主要構成としている。
【００６７】
なお、この給水タンク３２には、１次流入管６３、２次流出管（給湯管）６４、１次流出管６６、２次流入管６５（市水等の供給管）、空気抜管６１、安全弁６２、タンクドレン６７等が設けられて、外気に対して断熱されて湯が成層をなして貯留できるようになっている。
【００６８】
これら１次流入管６３、２次流出管６４、１次流出管６６、２次流入管６５、空気抜管６１、安全弁６２、タンクドレン６７等の作用は、循環水タンク３１における１次流入管４１、２次流出管４２、１次流出管４３、２次流入管４４、空気抜弁４５、安全弁４６、タンクドレン４７等と同じなので詳細な説明を省略する。
【００６９】
１次流入管６３は、第３熱交換器２３と接続されて、この第３熱交換器２３で加熱された利用水は給水タンク３２の上部から当該給水タンク３２に流入して貯留される。
【００７０】
この給水タンク３２の上部には、２次流出管６４が設けられ、当該２次流出管６４を介して湯が給湯できるようになっている。
【００７１】
また、給水タンク３２の下部には、１次流出管６６が設けられて、この１次流出管６６からの利用水が給水ポンプにより圧送されて第３熱交換器２３に供給されるようになっている。
【００７２】
さて、このような構成で、循環水タンク３１側で要求される熱量が、第１室外機からの冷媒により賄える場合には、熱分配器７１ａを閉弁する。これにより第２室外機からの冷媒は、第３熱交換器にのみ循環するようになる。
【００７３】
一方、第１室外機からの冷媒では循環水タンク３１側で要求される熱量を賄えない場合には、熱分配器７１ａを開弁する。このとき、給水タンク３２が満杯である等の状況に応じて熱分配器７１ｂは適宜閉弁する。
【００７４】
これにより、第２室外機からの冷媒は、第２熱交換器にも供給されるようになり、循環水タンク３１側に熱を分配することが可能になる。
【００７５】
なお、図２において熱分配器７２ａ，７２ｂ、図３において熱分配器７３ａ〜７３ｈを開閉弁することにより、同様に熱分配を行うことが可能になる。
【００７６】
以上説明したように、熱源部１０を複数の小型室外機で構成すると共に熱交換部２０を複数の熱交換器で構成したので、負荷の状態に応じて各室外機の熱を分配できるようになり、熱の利用効率が向上するようになる。
【００７７】
次に、本発明の第２の実施の形態を図を参照して説明する。なお、第１の実施の形態と同一構成に関しては同一符号を用いて説明を適宜省略する。
【００７８】
これまで説明した熱交換部２０における熱交換器は、１の１次回路と１の２次回路とにより構成された２回路の熱交換器であった。
【００７９】
これに対して、本実施の形態では、図４に示すように、１の１次回路と２の２次回路とにより構成された３回路の熱交換器２４を用いたものである。
【００８０】
このような３回路熱交換器２４により構成された熱交換部２０を用いることにより、中型の室外機１台を設置し、熱分配器７４ａ、７４ｂで流路制御することにより複数の熱利用機器に熱量を分配することが可能になる。
【００８１】
次に、本発明の第３の実施の形態を図を参照して説明する。なお、第１及び第２の実施の形態と同一構成に関しては同一符号を用いて説明を適宜省略する。
【００８２】
これまで説明した各実施の形態では、熱利用機器は温熱のみを利用する場合を説明した。このため室外機はヒートポンプとして作用した。
【００８３】
しかし、空調機６では冷房も必要になる場合があり、床暖房パネル５に冷水を流して床冷房としても利用することは原理的に可能である。
【００８４】
そこで、本発明では、図５に示すように、熱利用機器の１が温熱を利用し、１が冷熱を利用できるような場合のも対応できるようにしたものである。
【００８５】
なお、図５に示す構成は、第１室外機１１は、第１熱交換器２１を介して温熱のみを供給し、第２室外機１２は第３熱交換器２３を介して温熱を供給し、第２熱交換器２２を介して冷熱を供給する場合を示しているが、第１室外機１１からも温熱、冷熱いずれも供給できるようにしても良い。
【００８６】
図５に示す構成においては、第２室外機１２における圧縮機１３ｂと蒸発器１６ｂとを接続する配管と、第３熱交換器２３と膨張弁１４ｂとを接続する配管とをバイパスバルブ２６により接続している。
【００８７】
また、第２熱交換器２２と第３熱交換器２３とにおける冷媒流入側の配管同士を配管２９ａにより接続し、第２熱交換器２２における冷媒流入側の配管と第３熱交換器２３における冷媒流出側の配管とを配管２９ｂで接続し、さらに第２熱交換器２２における冷媒流出側の配管と第３熱交換器２３における冷媒流出側の配管とを配管２９ｃで接続している。
【００８８】
そして、配管２９ｂに逆止弁２８を、配管２９ｃに膨張弁２７を設け、さらに熱分配器７５ａ〜７５ｃを設けている。
【００８９】
これにより、第３熱交換器２３から温熱を供給し第２熱交換器２２からの熱供給を行わない場合、第３熱交換器２３及び第２熱交換器２２から温熱を供給する場合、第３熱交換器２３から温熱を供給し第２熱交換器２２から冷熱を供給する場合は、以下のように冷媒を循環させる。
【００９０】
先ず、第３熱交換器２３から温熱を供給し、第２熱交換器２２からの熱供給を行わない場合は、熱分配器７５ａを閉弁し、熱分配器７５ｂを閉弁し、熱分配器７５ｃを開弁すると共に、バイパスバルブ２６を閉じ、膨張弁１４ｂを適宜絞る。これにより、第２室外機１２からの冷媒は第３熱交換器２３にのみ供給され、膨張弁１４ｂ、蒸発器１６ｂを介して圧縮機１３ｂに戻るようになる。
【００９１】
第３熱交換器２３及び第２熱交換器２２から温熱を供給する場合は、熱分配器７５ａ〜７５ｃを全て開弁し、膨張弁１４ｂを適宜絞り、膨張弁２７を全開にすると共にバイパスバルブ２６を閉じる。
【００９２】
これにより、第２室外機１２からの冷媒は、第２熱交換器２２及び第３熱交換器２３に供給され、膨張弁１４ｂ、蒸発器１６ｂを介して圧縮機１３ｂに戻るようになる。
【００９３】
また、第３熱交換器２３から温熱を供給し第２熱交換器２２から冷熱を供給する場合は、熱分配器７５ａを閉弁、熱分配器７５ｂを開弁、熱分配器７５ｃを閉弁すると共に、膨張弁１４ｂを閉じ、膨張弁２７を適宜絞り、バイパスバルブ２６を全開にする。
【００９４】
これにより、第２室外機１２からの冷媒は、最初に第３熱交換器２３に供給され、ここで利用水と熱交換して凝縮する。この凝縮した冷媒は、熱分配器７５ｃが閉弁、熱分配器７５ｂが開弁しているので、膨張弁２７に供給されて膨張し、その後第２熱交換器２２に供給されるようになる。
【００９５】
そして、第２熱交換器２２で循環水と熱交換して蒸発し、このときの蒸発潜熱を循環水から奪うことにより当該循環水を冷却する。
【００９６】
循環水と熱交換した冷媒は、逆止弁２８、熱分配器７５ｃを介して第２室外機１２に戻る。第２室外機１２における膨張弁１４ｂは閉じられ、バイパスバルブ２６が開かれているので、そのまま圧縮機１３ｂに戻る。
【００９７】
以上により、温熱、冷熱のいずれも供給可能になり、利便性が向上する。
【００９８】
【発明の効果】
以上説明したように、複数の室外機と複数の熱利用機器とを複数の熱交換器からなる熱交換部により接続したので、各熱利用機器が要求する熱量に応じた熱分配が可能になって、コストダウンが図られると共に経済性が向上する。
【図面の簡単な説明】
【図１】本発明の第１の実施の形態の説明に適用される温冷熱システムの構成図である。
【図２】図１に代る温冷熱システムの構成図である。
【図３】図１に代る温冷熱システムの構成図である。
【図４】本発明の第２の実施の形態の説明に適用される温冷熱システムの構成図である。
【図５】本発明の第３の実施の形態の説明に適用される温冷熱システムの構成図である。
【符号の説明】
５  床暖房パネル
６  空調機
７  給湯器
１０  熱源部
１１  第１室外機
１２  第２室外機
２０  熱交換部
２１  第１熱交換器
２２  第２熱交換器
２３  第３熱交換器
２４  熱交換器
２６  バイパスバルブ
２７  膨張弁
２８  逆止弁
３０  熱利用部
３１  循環型熱利用部
３１  循環水タンク
３２  給水タンク
３４  高温側ポンプ
３５  低温側ポンプ
３６  膨張缶
４８  バイパス管
７１ａ，７１ｂ  熱分配器  熱分配器
７２ａ，７２ｂ  熱分配器
７３ａ〜７３ｈ  熱分配器
７５ａ〜７５ｃ  熱分配器
【図１】
2004156806.tif 000003
【図２】
2004156806.tif 000004
【図３】
2004156806.tif 000005
【図４】
2004156806.tif 000006
【図５】
2004156806.tif 000007